(57)【要約】【課題】  レンチキュラーレンズを用いることで、文字盤が動画のように見え、製造が容易で子供に人気のある目覚まし時計を提供すること。【解決手段】  本考案の目覚まし時計1は、時計駆動機構63と、音声制御装置66と、文字盤11と、文字盤駆動装置51と、これらを制御する主制御装置62を有し、文字盤11は、横線状に細断された２つ以上の絵を組み合わせるように描かれた背景画12と、当該背景画12が貼付された背景板13と、この背景板13の正面側に配置されたレンチキュラーレンズ14とを備えていることを特徴とする。【選択図】      図６
0003123791.tif 000002
【実用新案登録請求の範囲】
【請求項１】
時計駆動機構と、音声制御装置と、文字盤と、文字盤駆動装置と、これらを制御する主制御装置を有し、
前記文字盤は、横線状に細断された２つ以上の絵を組み合わせるように描かれた背景画と、当該背景画が貼付された背景板と、この背景板の正面側に配置されたレンチキュラーレンズとを備えていることを特徴とする目覚まし時計。
【請求項２】
前記文字盤駆動装置は、中空のコイルで構成された電磁石と、当該中空部に配置された金属柱と、金属柱の端部に接続された可動アームとを備え、当該可動アームの金属柱と接続している端部とは別の端部の正面側には可動アーム突起を有し、
前記背景板の背面側の下部近傍に係合突起を有し、
前記係合突起と可動アーム突起が接続されていることを特徴とする請求項１に記載の目覚まし時計。
【請求項３】
前記音声制御装置は、複数の音声を記憶している音声記憶手段と、音声信号を外部に出力する音声出力手段とを備え、
前記音声制御装置は、前記音声記憶手段に記憶されている複数の音声の中から任意の一つを選択して音声出力手段に音声信号を伝達していることを特徴とする請求項１又は請求項２に記載の目覚まし時計。
【請求項４】
報知時刻を設定する報知時刻設定手段と、当該報知時刻設定手段により設定した時刻に前記主制御装置にアラーム信号を送信する報知スイッチ機構を備え、
前記主制御装置は、アラーム信号を受信すると駆動信号を前記音声制御装置と前記文字盤駆動装置に送信することを特徴とする請求項１乃至請求項３のいずれかに記載の目覚まし時計。
【請求項５】
前記音声制御装置と前記文字盤駆動装置は、前記主制御装置から送信される駆動信号を受信して連動して作動することを特徴とする請求項１乃至請求項４のいずれかに記載の目覚まし時計。
【請求項６】
前記主制御装置が送信する駆動信号の送信・停止を制御する状態切替スイッチを備えていることを特徴とする請求項１乃至請求項５のいずれかに記載の目覚まし時計。
【考案の詳細な説明】
【技術分野】
【０００１】
本考案は、レンチキュラーイメージを利用した目覚まし時計に関する。
【背景技術】
【０００２】
近年、子供向けの目覚まし時計が多数販売されている。このような目覚まし時計の多くは文字盤に子供に人気のあるキャラクターの絵を記載しているものが多い。又、音声と共に本体が可動するものや、ゲームの機能を備えているもの等もある。例えば、特開２００２−９６６号公報（特許文献１）では、可動するロボット型の目覚まし時計が提案されている。この目覚まし時計は、アラームの音声と同時に胴体が回転運動をするものである。
【特許文献１】特開２００２−９６６号公報
【考案の開示】
【考案が解決しようとする課題】
【０００３】
従来の目覚まし時計においても文字盤等が可動するものが多数あるが、可動する機構が複雑なものが多く、又、文字盤が可動するものにおいても、レンチキュラーレンズを用いたものはなかった。
【０００４】
本考案は、レンチキュラーレンズを用いることで、文字盤が動画のように見え、製造が容易で子供に人気のある目覚まし時計を提供することを目的とする。
【課題を解決するための手段】
【０００５】
本考案の目覚まし時計(1)は、時計駆動機構(63)と、音声制御装置(66)と、文字盤(11)と、文字盤駆動装置(51)と、これらを制御する主制御装置(62)を有し、文字盤(11)は、横線状に細断された２つ以上の絵を組み合わせるように描かれた背景画(12)と、当該背景画(12)が貼付された背景板(13)と、この背景板(13)の正面側に配置されたレンチキュラーレンズ(14)とを備えているものである。
【０００６】
又、文字盤駆動装置(51)は、中空のコイルで構成された電磁石(53)と、当該中空部に配置された金属柱(52)と、金属柱(52)の端部に接続された可動アーム(54)とを備え、当該可動アーム(54)の金属柱(52)と接続している端部とは別の端部の正面側には可動アーム突起(55)を有し、背景板(13)の背面の下部近傍には係合突起(15)を有し、係合突起(15)と可動アーム突起(55)は接続されているものである。
【０００７】
そして、音声制御装置(66)は、複数の音声を記憶している音声記憶手段(67)と、音声信号を外部に出力する音声出力手段(29)とを備え、音声記憶手段(67)に記憶されている複数の音声の中から任意の一つを選択して音声出力手段(29)に音声信号を伝達しているものである。
【０００８】
更に、報知時刻を設定する報知時刻設定手段(65)と、当該報知時刻設定手段(65)により設定した時刻に主制御装置(62)にアラーム信号を送信する報知スイッチ機構(64)を備え、主制御装置(62)は、アラーム信号を受信すると駆動信号を音声制御装置(66)と文字盤駆動装置(51)に送信するものである。
【０００９】
又、音声制御装置(66)と文字盤駆動装置(51)は、主制御装置(62)から送信される駆動信号を受信して連動して作動することを特徴とするものである。
【００１０】
そして、主制御装置(62)が送信する駆動信号の送信・停止を制御する状態切替スイッチ(31)を備えていることを特徴とするものである。
【考案の効果】
【００１１】
本考案によれば、レンチキュラーレンズを用いることで、文字盤が動画のように見え、製造が容易で子供に人気のある目覚まし時計を提供することができる。
【考案を実施するための最良の形態】
【００１２】
本考案の目覚まし時計1は、短針3、長針4、秒針5、アラーム針6を備えたアナログ時計であり、文字盤11が可動することを特徴としたものである。そして、時計駆動機構63と、音声制御装置66と、文字盤11と、文字盤駆動装置51と、これらを制御する主制御装置62と、状態切替スイッチ31を有し、文字盤11は、２つ以上の絵を複数の区画に別け、これらの区画を一枚の絵に合成した背景画12と、当該背景画12が貼付された背景板13と、この背景板13の正面側に配置されたレンチキュラーレンズ14とを備えている。
【００１３】
又、背景板13の背面の下部近傍には係合突起15を有し、文字盤駆動装置51は、中空のコイルで構成された電磁石53と、当該中空部に配置された金属柱52と、金属柱52の端部に接続された可動アーム54とを備え、当該可動アーム54の金属柱52と接続している端部とは別の端部の正面側には可動アーム突起55を有し、係合突起15と可動アーム突起55は接続されているものである。
【００１４】
そして、音声制御装置66は、複数の音声を記憶している音声記憶手段67と、音声信号を外部に出力する音声出力手段29とを備え、音声記憶手段67に記憶されている複数の音声の中から任意の一つを選択して音声出力手段29に音声信号を伝達している。
【００１５】
更に、報知時刻を設定する報知時刻設定手段65と、当該報知時刻設定手段65により設定した時刻に主制御装置62にアラーム信号を送信する報知スイッチ機構64を備え、主制御装置62は、アラーム信号を受信すると駆動信号を音声制御装置66と文字盤駆動装置51に送信するものである。
【００１６】
又、音声制御装置66と文字盤駆動装置51は、主制御装置62から送信される駆動信号を受信して連動して作動する。そして、状態切替スイッチ31は、主制御装置62が送信する駆動信号の送信・停止を切り替え制御するものである。
【実施例】
【００１７】
本実施例の目覚まし時計1は、図１に示すように、短針3、長針4、秒針5、アラーム針6を備えたアナログ時計であり、文字盤11が可動することを特徴としたものである。そして、文字盤11には背景画が描かれ、筐体2の下部前方には２つの脚9を備え、アラーム機能により音声と共に文字盤11の背景画が可動することを特徴とし、上部には２つのベルの模型7とこの２つのベルの模型7の間に状態切替スイッチ31を備えている。そして、筐体2は、文字盤11が見えるように中心部に開口部を有した円形状の正面フレーム21と、背面ケース22とを重ね合わせて螺子等で接続しており、正面フレーム21の開口部には文字盤11を保護する透明な正面板8が配置されている。
【００１８】
又、図２に示すように、目覚まし時計1の背面側にはアラームスイッチ25と、時刻設定用ツマミ26と報知時刻設定ツマミ27を備え、更に、電源となる電池を収納する電池収納箱28が形成されており、音声出力手段29であるスピーカーが背面ケースの内側に配置されている。又、下部後方には接地部24が形成されており、下部前方に配置された２つの脚9と接地部24とで３点支持により目覚まし時計1全体を支えている。
【００１９】
そして、図３に示すように、筐体内には文字盤11と、時計駆動機構や報知時刻機能、文字盤11の稼働や音声を制御する各種装置が収納された収納箱41と、各種回路板と、これらを固定するための固定板42が収納されている。
【００２０】
この収納箱41は略直方体形状であり、この収納箱41の正面側に時計の短針3、長針4、秒針5、アラーム針6を取り付けるための中心軸43が突出しており、背面側には目覚まし時計全体の稼働、停止を切替える主スイッチ44と、短針3及び長針4による表示時刻を調整する上述した時刻設定用ツマミ26が接続される時刻調整用突起45と、報知時刻を設定する上述した報知時刻設定ツマミ27が接続される報知時刻設定用突起46が突出している。又、この収納箱41は中心軸43が目覚まし時計1本体の略中心に位置するように固定板42に固定されている。
【００２１】
又、各種回路板は、主回路板30と、状態切替スイッチ31と接続する状態切替スイッチ回路板32と、図示しないがアラーム機能の使用・不使用を切替えるアラームスイッチ25と接続するアラームスイッチ回路板と、電源と接続している電源回路板とから構成されている。
【００２２】
そして、主回路板30は、状態切替スイッチ回路板32、アラームスイッチ回路板、電源回路板、又、本実施例の目覚まし時計1の各種の機能を提供する全ての装置と接続しており、固定板42に固定されている。又、状態切替スイッチ回路板32は、状態切替スイッチ31の直下に配置されており、状態切替スイッチ31の動作を主回路板30に伝達している。又、アラームスイッチ回路板は図示しないが筐体の背面ケース22に固定されており、アラームスイッチ25の状態を主回路板30に伝達している。そして、電源回路板は、電源からの電力を目覚まし時計1全体に供給しており、上述した収納箱28に固定されている。
【００２３】
又、文字盤11は、図４及び図５に示すように、横線状に細断された２つ以上の絵を組み合わせるように描かれた背景画12と、この背景画が貼付された背景板13と、この背景板13の表面側に配置されたレンチキュラーレンズ14とにより形成されている。
【００２４】
ここで、レンチキュラーとは、人間の眼の視差を利用して、平面的な印刷物を立体的に、又は動いているように見せる技術のことをいい、レンチキュラーレンズと、複数の絵を夫々細かく区分けして交互に並べた絵とで構成されるものである。よって、本実施例の背景画12は複数の絵を複数の横線状に区分けし、これらの横線を組み合わせるようにして描かれている。そして、背景画12の横線とレンチキュラーレンズに形成されている凹凸の方向が平行となるように固定されている。
【００２５】
更に、図３又は図４に示すように、背景板13の裏面側の下部近傍には、後述する文字盤駆動装置51の有する可動アーム54と係合する係合突起15が形成されている。そして、この文字盤11の中心部には時計の中心軸が嵌挿される軸穴16が形成されている。又、この背景板13は固定板42の正面側に配置されており、固定板42には背景板13を係止するための係止用の爪48が複数形成され、更に、係合突起15が位置する箇所には係合突起用穴49が形成されている。
【００２６】
又、文字盤駆動装置51は、小さな金属柱52と、コイル状でコイルの内部に金属柱が入出可能な空洞を有する電磁石53とからなるソレノイド（Ｓｏｌｅｎｏｉｄ）と、このソレノイドの金属柱52の端部に接続された可動アーム54とから構成されている。可動アーム54は金属柱52と接続している端部とは別の端部の正面側に固定板に形成された係合突起15と係合する可動アーム突起55を備えている。
【００２７】
このソレノイドとは、コイルに電流が流れることによって金属柱を引き寄せる機構であり、本実施例では電流を断続的に流すことにより、金属柱52の自重と併せて上下に動き、この金属柱52の端部に接続した可動アーム54が連動して動き、可動アーム54と係合している固定板42も連動して上下に動く仕組みとなっている。そして、レンチキュラーレンズは固定されており、固定板42のみが上下に動くため、図４、図５に示すように第一背景画と第二背景画が連続して見えることとなり動画のように見えるものである。
【００２８】
そして、本考案の目覚まし時計は、図６に示すように、電源61、主スイッチ44、主制御装置62、時計駆動機構63、報知スイッチ機構64、報知時刻設定手段65、アラームスイッチ25、状態切替スイッチ31、文字盤駆動装置51、音声制御装置66、音声出力手段29、音声記憶手段67から構成されている。
【００２９】
電源61としては電池を用いており、目覚まし時計1全体に電力を供給している。又、主スイッチ44は、目覚まし時計1全体の稼働・停止を切替えるものである。又、主制御装置62は目覚まし時計1の全ての機能を制御するものである。
【００３０】
又、時計駆動機構63は時計の短針3、長針4、秒針5を制御するものである。そして、報知スイッチ機構64は、報知時刻設定手段65である報知時刻設定ツマミ27でアラーム針6を設定し、このアラーム針6の位置と短針3の位置が略重なる目安接点と呼ばれる位置に来ると主制御装置62にアラーム信号を送信するものである。
【００３１】
アラームスイッチ25が切になっている場合には、このアラーム信号は主制御装置62に届かないためアラーム機能は働かないが、アラームスイッチ25が入になっている場合には、主制御装置62にアラーム信号が伝達され、主制御装置62は文字盤可動装置51や音声制御装置66に駆動信号を送信し、これによりアラーム機能が作動することになる。又、主制御装置は一定時間経過すると自動的に駆動信号を停止し、これにより文字盤可動装置51や音声制御装置66の動作が停止するものである。
【００３２】
又、状態切替スイッチ31は、文字盤可動装置51や音声制御装置66が作動しているときには主制御装置62が駆動信号を送信するのを停止し、文字盤可動装置51や音声制御装置66が停止している時には主制御装置62が駆動信号を送信するように制御するものである。
【００３３】
又、音声制御装置66は、各種の音声を記憶している音声記憶手段67と、音声出力手段29を有しており、音声記憶手段67に記憶されている音声の中から発信する音声を選択して、音声出力手段29に音声信号を送信することで音声を出力する。そして、主制御装置62から駆動信号を受信すると音声を出力し、駆動信号の停止と共に音声を停止するものである。又、音声制御装置66は、音声記憶手段67に記憶されている複数の音声の中から、順に又はランダムに音声を選択するものである。
【００３４】
又、文字盤駆動装置51は、音声制御装置66と同様に主制御装置62からの駆動信号を受信すると背景画の動作を開始し、駆動信号の停止と共に動作を停止するものである。
【００３５】
そして、これらの機構により、本考案の目覚まし時計1は、報知時刻設定ツマミ27を回転させることで報知時刻を設定し、アラームスイッチ25を入状態にすると、アラーム針6が位置している時刻に短針3が達すると音声制御装置66と文字盤駆動装置51が動作を開始し、目覚ましの音声と、文字盤の稼働が始まる。そして、状態切替スイッチ31を押圧するか、稼働開始から一定時間を経過すると自動的に動作が停止することになる。
【００３６】
又、報知時刻を設定していなくとも、状態切替スイッチ31を押圧することで同様に目覚ましの音声と、文字盤の稼働が始まるものである。
【００３７】
そして、本実施例によれば、背景画が変わることで、幼児や子供にとって時計以上の嗜好を得ることができる目覚まし時計を提供することができ、又、背景画として幼児等に人気のキャラクター等を用い、音声としてそのキャラクラーのテーマソングや声を使用することで更に幼児等に人気のある目覚まし時計を提供することができる。
【００３８】
尚、本実施例では置き時計について述べたが、壁掛け時計や、腕時計などでも同様の構成で実施することが可能であり、本実施例に限定されるものではない。
【図面の簡単な説明】
【００３９】
【図１】本考案に係る目覚まし時計の斜視図。
【図２】本考案に係る目覚まし時計の背面図。
【図３】本考案に係る目覚まし時計の筐体内の要部を背面側から見た状態を示す図。
【図４】本考案に係る目覚まし時計の第一背景画表示状態の正面図。
【図５】本考案に係る目覚まし時計の第二背景画表示状態の正面図。
【図６】本考案に係る目覚まし時計の回路ブロック図。
【符号の説明】
【００４０】
1  目覚まし時計                          2  筐体
3  短針                                  4  長針
5  秒針                                  6  アラーム針
7  ベルの模型                            11  文字盤
12  背景画                               13  背景板
14  レンチキュラーレンズ                 15  係合突起
16  軸穴                                 21  正面フレーム
22  背面ケース                           24  接地部
25  アラームスイッチ                     26  時刻設定用ツマミ
27  報知時刻設定ツマミ                   28  電池収納箱
29  音声出力手段                         30  主回路板
31  状態切替スイッチ                     32  状態切替スイッチ回路板
41  収納箱                               42  固定板
43  中心軸                               44  主スイッチ
45  時刻調整用突起                       46  報知時刻設定ツマミ
48  爪                                   49  係合突起用穴
51  文字盤駆動装置                       52  金属柱
53  電磁石                               54  可動アーム
55  可動アーム突起                       61  電源
62  主制御装置                           63  時計駆動機構
64  報知スイッチ機構                     65  報知時刻設定手段
66  音声制御装置                         67  音声記憶手段
【図１】
0003123791.tif 000003
【図２】
0003123791.tif 000004
【図３】
0003123791.tif 000005
【図４】
0003123791.tif 000006
【図５】
0003123791.tif 000007
【図６】
0003123791.tif 000008